(57)【要約】【課題】複数のラベルからなるラベル群を作成するにあたり、ラベルに印刷する情報に適した印刷媒体にて各ラベルを作成すること。【解決手段】一実施形態のラベル作成装置は、複数のプリンタと、取得手段と、選定手段と、実行手段とを備える。上記複数のプリンタは、異なる印刷媒体に画像を印刷することによりラベルを作成する。上記取得手段は、ラベル群を作成するための情報を取得する。上記選定手段は、上記取得手段が取得した情報に基づき、上記ラベル群を構成する各ラベルの作成に用いるプリンタを、上記複数のプリンタの中から個別に選定する。上記実行手段は、上記選定手段が選定したプリンタを制御して上記取得手段が取得した情報に基づく画像が印刷されたラベルを当該プリンタに作成させる処理を、上記ラベル群を構成する各ラベルについて実行する。【選択図】    図１０
2014151552.tif 000002
【特許請求の範囲】
【請求項１】
異なる印刷媒体に画像を印刷することによりラベルを作成する複数のプリンタと、
相互に関連する複数のラベルにて構成されるラベル群を作成するための情報を取得する取得手段と、
前記取得手段が取得した情報に基づき、前記ラベル群を構成する各ラベルの作成に用いるプリンタを、前記複数のプリンタの中から個別に選定する選定手段と、
前記選定手段が選定したプリンタを制御して前記取得手段が取得した情報に基づく画像が印刷されたラベルを当該プリンタに作成させる処理を、前記ラベル群を構成する各ラベルについて実行する実行手段と、
を備えることを特徴とするラベル作成装置。
【請求項２】
前記複数のプリンタは、第１の印刷媒体をラベルの作成に使用する第１のプリンタと、前記第１の印刷媒体よりもサイズが小さい第２の印刷媒体をラベルの作成に使用する第２のプリンタとを含み、
前記選定手段は、前記取得手段が取得した情報に基づいて印刷する画像が前記第２の印刷媒体に収まるサイズであるラベルの作成に用いるプリンタとして前記第２のプリンタを選定し、前記取得手段が取得した情報に基づいて印刷する画像が前記第２の印刷媒体に収まらないサイズであるラベルの作成に用いるプリンタとして前記第１のプリンタを選定することを特徴とする請求項１に記載のラベル作成装置。
【請求項３】
前記選定手段は、前記取得手段が取得した情報に基づいて印刷する画像に含まれる文字列の行数或いは当該文字列に含まれる文字数と予め定められた閾値との比較により、当該画像のサイズが前記第２の印刷媒体に収まるラベルと収まらないラベルとを判別することを特徴とする請求項２に記載のラベル作成装置。
【請求項４】
前記複数のプリンタは、商品を販売促進するための文字列の印刷領域を含む第１の印刷媒体をラベルの作成に使用する第１のプリンタと、前記印刷領域を含まない第２の印刷媒体をラベルの作成に使用する第２のプリンタとを含み、
前記選定手段は、前記取得手段が取得した情報に基づいて印刷する画像に前記販売促進するための文字列が含まれるラベルの作成に用いるプリンタとして前記第１のプリンタを選定し、前記取得手段が取得した情報に基づいて印刷する画像に前記販売促進するための文字列が含まれないラベルの作成に用いるプリンタとして前記第２のプリンタを選定することを特徴とする請求項１に記載のラベル作成装置。
【請求項５】
前記ラベルは、食品に付すためのラベルであり、
前記ラベル群は、食品の価格を表す文字列を含むラベルと、食品の原材料或いは添加物を表す文字列を含むラベルとを含むことを特徴とする請求項１乃至４のうちいずれか１に記載のラベル作成装置。
【請求項６】
印刷媒体に画像を印刷することによりラベルを作成する複数のプリンタを備えるラベル作成装置を制御するプロセッサを、
相互に関連する複数のラベルにて構成されるラベル群を作成するための情報を取得する取得手段、
前記取得手段が取得した情報に基づき、前記ラベル群を構成する各ラベルの作成に用いるプリンタを、前記複数のプリンタの中から個別に選定する選定手段、及び、
前記選定手段が選定したプリンタを制御して前記取得手段が取得した情報に基づく画像が印刷されたラベルを当該プリンタに作成させる処理を、前記ラベル群を構成する各ラベルについて実行する実行手段、
として機能させるためのラベル作成プログラム。
【発明の詳細な説明】
【技術分野】
【０００１】
本発明の実施形態は、ラベル作成装置及びラベル作成プログラムに関する。
【背景技術】
【０００２】
異なる種類のラベル用紙に、画像を印刷する複数のプリンタを備え、これらのプリンタを選択的に使用してラベルを作成するラベル作成装置がある。
【０００３】
従来のラベル作成装置は、例えば１つの物品に貼付するための複数のラベルにて構成されるラベル群を作成する場合において、全てのラベルを同じプリンタを用いて作成する。
【０００４】
１つのプリンタで、ラベル群に含まれる全てのラベルを作成する場合、印刷すべき情報量が少ないラベルにおいてラベル上に大きな空白領域が生じることがある。また、印刷すべき情報に不適な装飾が施されたラベル用紙を用いたラベルが作成されることもある。
【先行技術文献】
【特許文献】
【０００５】
【特許文献１】特開２０００−２０８２９号公報
【発明の概要】
【発明が解決しようとする課題】
【０００６】
本発明が解決しようとする課題は、複数のラベルからなるラベル群を作成するにあたり、ラベルに印刷する情報に適した印刷媒体にて各ラベルを作成することである。
【課題を解決するための手段】
【０００７】
一実施形態に係るラベル作成装置は、複数のプリンタと、取得手段と、選定手段と、実行手段とを備える。上記複数のプリンタは、異なる印刷媒体に画像を印刷することによりラベルを作成する。上記取得手段は、相互に関連する複数のラベルにて構成されるラベル群を作成するための情報を取得する。上記選定手段は、上記取得手段が取得した情報に基づき、上記ラベル群を構成する各ラベルの作成に用いるプリンタを、上記複数のプリンタの中から個別に選定する。上記実行手段は、上記選定手段が選定したプリンタを制御して上記取得手段が取得した情報に基づく画像が印刷されたラベルを当該プリンタに作成させる処理を、上記ラベル群を構成する各ラベルについて実行する。
【図面の簡単な説明】
【０００８】
【図１】一実施形態におけるラベル作成装置の外観斜視図。
【図２】同装置の概略的な制御構成を示すブロック図。
【図３】同装置が記憶するＰＬＵファイルのデータ構造の一例を示す図。
【図４】同装置の第１，第２プリンタが使用するラベル用紙の一例を示す図。
【図５】同装置の主要な機能を示すブロック図。
【図６】同装置の第１プリンタが作成する１枚目のラベルの一例を示す図。
【図７】同装置の第１プリンタが作成する２枚目のラベルの一例を示す図。
【図８】同装置の第２プリンタが作成する１枚目のラベルの一例を示す図。
【図９】同装置の第２プリンタが作成する２枚目のラベルの一例を示す図。
【図１０】同装置の動作を示すフローチャート。
【発明を実施するための形態】
【０００９】
一実施形態につき、図面を参照しながら説明する。  
本実施形態では、小売店において加工食品や生鮮食品等の商品に貼付するためのラベルを作成するラベル作成装置１を例示する。
【００１０】
図１は、ラベル作成装置１の外観斜視図である。ラベル作成装置１は、本体２及び秤装置３を備える。本体２は、ディスプレイ４、入力インターフェイス５、第１プリンタ６、及び第２プリンタ７を備える。
【００１１】
秤装置３は、載置台３０に載置された商品の重量を計測する。ディスプレイ４は、例えばＬＣＤ（Liquid Crystal Display）であり、ラベルの作成に関する画面などを選択的に表示する。入力インターフェイス５は、ラベル作成装置１を操作するための各種操作ボタンを備える。入力インターフェイス５は、ディスプレイ４の画面に対する操作を検出するタッチスクリーンを含んでもよい。
【００１２】
第１プリンタ６及び第２プリンタ７は、いずれも内部にラベル用紙（印刷媒体）の収納部と、搬送機構と、印刷機構とを備える。ラベル用紙の一方の面は、所定温度以上の熱で発色する印刷面（感熱層）である。ラベル用紙の他方の面は、粘着層である。ラベル用紙は、連続紙である台紙に粘着層を介して等間隔で貼付された状態で、収納部に収納される。印刷機構は、多数の発熱素子が設けられたサーマルヘッドと、プラテンローラとを備える。搬送機構は、サーマルヘッドとプラテンローラが対向する位置を含む搬送路に設けられた複数のローラと、これら複数のローラを回転させるモータとを備える。複数のローラが回転すると、収納部に収納されたラベル用紙が搬送路に沿って搬送される。第１プリンタ６及び第２プリンタ７は、搬送機構によるラベル用紙の搬送に合わせてサーマルヘッドの各発熱素子を選択的に駆動することにより、ラベル用紙に画像を印刷する。第１プリンタ６は、画像を印刷した後のラベル用紙を、商品に貼付するラベルとして排出口６０から排出する。第２プリンタ７は、画像を形成した後のラベル用紙を、商品に貼付するラベルとして排出口７０から排出する。なお、第１プリンタ６及び第２プリンタ７の印刷方式として、インクリボンを介してラベル用紙に画像を形成する熱転写方式などの他の方式を採用してもよい。
【００１３】
ラベル作成装置１の制御構成について説明する。図２は、ラベル作成装置１の概略的な制御構成を示すブロック図である。
【００１４】
ラベル作成装置１は、図１に示した構成要素のほかに、ＣＰＵ（Central Processing Unit）１０、ＲＯＭ（Read Only Memory）１１、ＲＡＭ（Random Access Memory）１２、通信装置１３、補助記憶装置１４、及びバスライン１５を備える。
【００１５】
バスライン１５は、ＣＰＵ１０、ＲＯＭ１１、ＲＡＭ１２、通信装置１３、補助記憶装置１４、ディスプレイ４、入力インターフェイス５、第１プリンタ６、第２プリンタ７、及び秤装置３を接続する。
【００１６】
ＲＯＭ１１は、ＣＰＵ１０に実行させるためのコンピュータプログラムなどの固定的データを記憶する。ＲＯＭ１１が記憶するコンピュータプログラムには、ラベルの印刷に関する機能をＣＰＵ１０に実現させるラベル作成プログラムが含まれる。ＲＡＭ１２は、ＣＰＵ１０が実行する処理に応じて、各種のワークメモリエリアを形成する。
【００１７】
通信装置１３は、店舗に設けられたＬＡＮ（Local Area Network）を介してストアコントローラなどの外部装置と通信する。通信装置１３と外部装置との通信は、有線及び無線のいずれで行われてもよい。
【００１８】
補助記憶装置１４は、例えばＨＤＤ（Hard Disk Drive）或いはＳＳＤ（Solid State Drive）である。補助記憶装置１４は、ＰＬＵ（Price Look Up）ファイル１４０などを記憶する。ラベル作成装置１は、所定のタイミングで上記ストアコントローラからＰＬＵファイル１４０を受信し、受信したＰＬＵファイル１４０にて、補助記憶装置１４が記憶するＰＬＵファイル１４０を上書きする。
【００１９】
ＰＬＵファイル１４０のデータ構造の一例を図３に示す。ＰＬＵファイル１４０は、ラベルの作成対象となる各商品に対応するレコードを含む。各レコードは、対応する商品の品番、ＪＡＮ（Japanese Article Number）コード、商品名、価格、加工日時、消費期限、ＰＯＰ（Point Of Purchase advertising）情報、添加物情報、及び、補助メッセージなどを含む。ＰＯＰ情報は、例えば「お買得品」、「おすすめ商品」のような、商品を販売促進するための文字列である。添加物情報は、商品の製造に用いられた原材料、調味料、着色料、及び香辛料などを表す文字列である。補助メッセージは、保管に関する注意点及び調理に関する注意点などを表す文字列である。各レコードは、ＰＯＰ情報及び添加物情報を含まないこともある。
【００２０】
ここで、第１プリンタ６及び第２プリンタ７がラベルの印刷に使用するラベル用紙につき、図４を用いて説明する。図４の左側に示すラベル用紙Ｍ１は第１プリンタ６が使用するラベル用紙であり、図４の右側に示すラベル用紙Ｍ２は第２プリンタ７が使用するラベル用紙である。ラベル用紙Ｍ１のサイズは高さＨ１×幅Ｗ１であり、ラベル用紙Ｍ２のサイズは高さＨ２×幅Ｗ２である。本実施形態においては、Ｈ１＞Ｈ２、Ｗ１＝Ｗ２である。ラベル用紙Ｍ１の印刷面には、ＰＬＵファイル１４０におけるＰＯＰ情報を印刷するためのＰＯＰ領域Ｐと、商品の価格の印刷位置の直下に位置決めされたラインＬとが予め形成されている。ラベル用紙Ｍ２の印刷面には、ラインＬが予め形成されている。ＰＯＰ領域Ｐは、枠線の内側に目立ち易い色を配色した領域である。目立ち易い色は、例えば黄色である。
【００２１】
本実施形態に係るラベル作成装置１の主要な機能につき、図５を用いて説明する。ラベル作成装置１は、取得部１００としての機能、選定部１０１としての機能、及び実行部１０２としての機能を備える。各部１００〜１０２としての機能は、例えばＣＰＵ１０が上述のラベル作成プログラムを実行することで実現する。但し、ＣＰＵ１０以外の構成要素が各部１００〜１０２としての機能を実現してもよい。
【００２２】
取得部１００は、相互に関連する複数のラベルにて構成されるラベル群を作成するための情報（以下、ラベル作成情報）を取得する。ラベル作成情報は、例えばＰＬＵファイル１４０のレコードである。
【００２３】
選定部１０１は、取得部１００が取得したラベル作成情報に基づき、上記ラベル群を構成する各ラベルの作成に用いるプリンタを、第１プリンタ６及び第２プリンタ７の中から個別に選定する。
【００２４】
実行部１０２は、選定部１０１が選定したプリンタを制御して取得部１００が取得したラベル作成情報に基づく画像が印刷されたラベルを当該プリンタに作成させる処理を、上記ラベル群を構成する各ラベルについて実行する。
【００２５】
実行部１０２による制御の下で第１プリンタ６がラベル用紙Ｍ１を用いて作成するラベルの一例を、図６及び図７に示す。図６に示すラベルＡ１及び図７に示すラベルＡ２は同一の商品に貼付するラベルであって、上記ラベル群を構成する。
【００２６】
ラベルＡ１，Ａ２は、ＰＬＵファイル１４０における商品Ｘに対応するレコードに記述された情報に基づいて作成されるラベルである。
【００２７】
ラベルＡ１には、ＰＯＰ情報「お買得品」、商品名「商品Ｘ」、品番「７６５」、消費期限「１２．４．２７ ２０時」、加工日時「１２．４．２７ １２時」、価格「￥３９８」、及び補助メッセージ「高温の場所での保管は避けてください・・・」などの情報や、ＪＡＮコードを表すバーコードが印刷されている。
【００２８】
ラベルＡ２には、商品名「商品Ｘ」、品番「７６５」、及び、添加物情報「調味料（アミノ酸等）・・・・香辛料」などの情報が印刷されている。添加物情報は、１行に収まらない場合、複数行にわたって印刷される。以下の説明においては、添加物情報の行数をｎ（整数；ｎ≧１）と定義する。
【００２９】
実行部１０２による制御の下で第２プリンタ７がラベル用紙Ｍ２を用いて作成するラベルの一例を、図８及び図９に示す。図８に示すラベルＢ１及び図９に示すラベルＢ２は同一の商品に貼付するラベルであって、上記ラベル群を構成する。
【００３０】
ラベルＢ１及びＢ２は、ラベルＡ１及びＡ２と同じく商品Ｘに対応するレコードに記述された情報に基づいて作成されるラベルである。但し、図８及び図９の例では、当該レコードにＰＯＰ情報が記述されておらず、かつ添加物情報の文字数が図７の例に比べて少ない場合を想定している。
【００３１】
ラベルＡ１，Ｂ１に印刷される情報を比較すると、ラベルＢ１は「お買得品」との文字列を含まない点でラベルＡ１と相違する。ラベルＡ２，Ｂ２に印刷される情報を比較すると、ラベルＢ２における添加物情報の行数ｎがラベルＡ２における添加物情報の行数ｎよりも少ない点で相違する。
【００３２】
本実施形態では、ラベル用紙Ｍ１，Ｍ２に印刷する文字列のフォント、サイズ、位置、文字間隔及び行間隔や、バーコードのサイズなどのフォーマットが固定的に定められているものとする。したがって、行数ｎは添加物情報の文字数に依存して増減する。ラベル用紙Ｍ１に印刷することができる添加物情報の行数ｎの最大値ｎ１maxは、例えば１４行である。ラベル用紙Ｍ２に印刷することができる添加物情報の行数ｎの最大値ｎ２maxは、高さＨ１，Ｈ２の差分に相当する数だけ最大値ｎ１maxよりも小さく、例えば８行である。
【００３３】
さらに、本実施形態では、ラベル作成装置１が１商品につきラベルＡ１，Ｂ１のようにバーコードや価格を含むラベルのみを作成する場合と、当該ラベル及びラベルＡ２，Ｂ２のように添加物情報を含むラベルの２枚にて構成されるラベル群を作成する場合が存在するものとする。以下、バーコードや価格を含むラベルを“１枚目のラベル”と称し、添加物情報を含むラベルを“２枚目のラベル”と称す。
【００３４】
ラベル作成に関するラベル作成装置１の一連の動作につき、詳細に説明する。  
図１０は、ラベル作成装置１の動作を示すフローチャートである。  
当該フローチャートに示す動作において、先ず取得部１００が商品指定画面をディスプレイ４に表示させる（ステップＳ１）。商品指定画面は、例えばラベルの作成対象となる商品の品番を指定するためのＧＵＩ（Graphical User Interface）を含む。ユーザは、入力インターフェイス５により当該ＧＵＩを操作することで、作成対象となる商品の品番を指定することができる。
【００３５】
ステップＳ１の後、取得部１００は、商品指定画面においてラベルの作成対象となる商品の品番が指定されたか否かを判定する（ステップＳ２）。取得部１００は、商品の品番が指定されたと判定しなければ（ステップＳ２のＮｏ）、商品の品番が指定されたと判定するまでステップＳ２の処理を繰り返す。
【００３６】
商品指定画面においてラベルの作成対象となる商品の品番が指定されたと判定した場合（ステップＳ２のＹｅｓ）、取得部１００は、当該品番に対応するラベル作成情報を取得する（ステップＳ３）。具体的には、取得部１００は、ＰＬＵファイル１４０の当該指定された品番に対応するレコードをＲＡＭ１２に書き込むことで、ラベル作成情報を取得する。ラベル作成情報の取得方法は、この例に限られない。その他、例えば取得部１００が通信装置１３を介してストアコントローラに当該指定された品番を送信し、ストアコントローラから当該品番に対応するＰＬＵファイル１４０のレコードを受信することにより、ラベル作成情報を取得してもよい。
【００３７】
ステップＳ３の後、選定部１０１が、ステップＳ３にてＲＡＭ１２に書き込まれたラベル作成情報にＰＯＰ情報が含まれるか否かを判定する（ステップＳ４）。ＰＯＰ情報が含まれると判定した場合（ステップＳ４のＹｅｓ）、選定部１０１は、１枚目のラベルの作成に用いるプリンタとして第１プリンタ６を選定する（ステップＳ５）。一方、ＰＯＰ情報が含まれないと判定した場合（ステップＳ４のＮｏ）、選定部１０１は、１枚目のラベルの作成に用いるプリンタとして第２プリンタ７を選定する（ステップＳ６）。
【００３８】
ステップＳ５或いはステップＳ６の後、選定部１０１は、２枚目のラベルの作成が必要か否かを判定する（ステップＳ７）。選定部１０１は、ステップＳ３にてＲＡＭ１２に書き込まれたレコードに添加物情報が含まれる場合に２枚目のラベルの作成が必要であると判定し、含まれない場合に２枚目のラベルの作成が必要ではないと判定する。
【００３９】
２枚目のラベルの作成が必要であると判定した場合（ステップＳ７のＹｅｓ）、選定部１０１は、２枚目のラベルに印刷する画像のサイズがラベル用紙Ｍ２に収まるサイズであるか否かを判定する（ステップＳ８）。具体的には、選定部１０１は、ステップＳ３にてＲＡＭ１２に書き込まれたレコードに含まれる添加物情報の文字数に基づいて上述の行数ｎを算出する。選定部１０１は、算出した行数ｎが最大値ｎ２max以下である場合（ｎ≦ｎ２max）に、２枚目のラベルに印刷する画像のサイズがラベル用紙Ｍ２に収まるサイズであると判定する。選定部１０１は、算出した行数ｎが最大値ｎ２maxを超える場合（ｎ＞ｎ２max）に、２枚目のラベルに印刷する画像のサイズがラベル用紙Ｍ２に収まるサイズではないと判定する。
【００４０】
行数ｎではなく、添加物情報の文字数に基づいてステップＳ８の判定を行ってもよい。この場合、選定部１０１は、ステップＳ３にてＲＡＭ１２に書き込まれたレコードに含まれる添加物情報の文字数ｃ（整数；ｃ≧１）が、２枚目のラベルに印刷することができる添加物情報の文字数の最大値ｃmax以下である場合（ｃ≦ｃmax）に、２枚目のラベルに印刷する画像のサイズがラベル用紙Ｍ２に収まるサイズであると判定する。選定部１０１は、文字数ｃが最大値ｃmaxを超える場合（ｃ＞ｃmax）に２枚目のラベルに印刷する画像のサイズがラベル用紙Ｍ２に収まるサイズではないと判定する。
【００４１】
２枚目のラベルに印刷する画像のサイズがラベル用紙Ｍ２に収まるサイズであると判定した場合（ステップＳ８のＹｅｓ）、選定部１０１は、２枚目のラベルを印刷するプリンタとして第２プリンタ７を選定する（ステップＳ９）。一方、２枚目のラベルに印刷する画像のサイズがラベル用紙Ｍ２に収まるサイズではないと判定した場合（ステップＳ８のＮｏ）、選定部１０１は、２枚目のラベルを印刷するプリンタとして第１プリンタ６を選定する（ステップＳ１０）。
【００４２】
ステップＳ９或いはステップＳ１０の後、実行部１０２が、ステップＳ３にてＲＡＭ１２に書き込まれたレコードに含まれる情報を上述のフォーマットに従って配置した印刷データを生成する（ステップＳ１１）。ステップＳ１１の後、実行部１０２は、選定部１０１が選定したプリンタを制御して、ステップＳ１１にて生成した印刷データに基づくラベルを作成させる（ステップＳ１２）。
【００４３】
２枚目のラベルを印刷する必要がある場合、ステップＳ１１において実行部１０２は、１枚目と２枚目のそれぞれのラベルに対応する２つの印刷データを生成する。その後のステップＳ１２において実行部１０２は、ステップＳ５或いはステップＳ６にて選定されたプリンタを制御して１枚目のラベルの印刷データに基づく画像を当該プリンタにセットされたラベル用紙に印刷させるとともに、当該画像が印刷された後のラベル用紙を当該プリンタの排出口から排出させる。さらに、実行部１０２は、ステップＳ９或いはステップＳ１０にて選定されたプリンタを制御して２枚目のラベルの印刷データに基づく画像を当該プリンタにセットされたラベル用紙に印刷させるとともに、当該画像が印刷された後のラベル用紙を当該プリンタの排出口から排出させる。１枚目のラベルと２枚目のラベルとで作成に使用するプリンタが異なる場合、実行部１０２は、第１プリンタ６と第２プリンタ７を順次に制御して各ラベルを作成させてもよいし、第１プリンタ６と第２プリンタ７を同時に制御して各ラベルを作成させてもよい。第１プリンタ６と第２プリンタ７を同時に制御して各ラベルを作成する場合、ラベルの作成に要する時間を短縮できる。
【００４４】
一方、２枚目のラベルが不要の場合、実行部１０２は、ステップＳ１１において１枚目のラベルに対応する印刷データのみを生成する。ステップＳ１２において実行部１０２は、ステップＳ５或いはステップＳ６にて選定されたプリンタを制御して１枚目のラベルの印刷データに基づく画像を当該プリンタにセットされたラベル用紙に印刷させるとともに、当該画像が印刷された後のラベル用紙を当該プリンタの排出口から排出させる。  
ステップＳ１２を以って、当該フローチャートに示す動作は終了する。
【００４５】
図６〜図９に示したように商品Ｘに関するラベル群を作成する場合を例にとり、本実施形態に係るラベル作成装置１の作用について説明する。  
図１０のフローチャートに示す動作によれば、本例においては１枚目，２枚目のラベルの組み合わせとして、以下の４つのケースが存在する。
【００４６】
（１）ＰＬＵファイル１４０における商品ＸのレコードにＰＯＰ情報が含まれ、かつ２枚目のラベルに印刷する画像のサイズがラベル用紙Ｍ２に収まるサイズである場合、ラベル作成装置１は１枚目のラベルとして図６に示すラベルＡ１を作成し、２枚目のラベルとして図９に示すラベルＢ２を作成する。
【００４７】
（２）商品ＸのレコードにＰＯＰ情報が含まれ、かつ２枚目のラベルに印刷する画像のサイズがラベル用紙Ｍ２に収まるサイズではない場合、ラベル作成装置１は１枚目のラベルとして図６に示すラベルＡ１を作成し、２枚目のラベルとして図７に示すラベルＡ２を作成する。
【００４８】
（３）商品ＸのレコードにＰＯＰ情報が含まれず、かつ２枚目のラベルに印刷する画像のサイズがラベル用紙Ｍ２に収まるサイズである場合、ラベル作成装置１は１枚目のラベルとして図８に示すラベルＢ１を作成し、２枚目のラベルとして図９に示すラベルＢ２を作成する。
【００４９】
（４）商品ＸのレコードにＰＯＰ情報が含まれず、かつ２枚目のラベルに印刷する画像のサイズがラベル用紙Ｍ２に収まるサイズではない場合、ラベル作成装置１は１枚目のラベルとして図８に示すラベルＢ１を作成し、２枚目のラベルとして図７に示すラベルＡ２を作成する。
【００５０】
ケース（１）〜（４）から明らかなように、本実施形態に係るラベル作成装置１は、ラベルに印刷する情報に適したラベル用紙にて１枚目，２枚目のラベルを作成する。具体的には、ラベル作成装置１は、２枚目のラベルに印刷する画像のサイズが小さい場合には１枚目のラベルの作成に使用したラベル用紙にかかわらず小さいラベル用紙Ｍ２を使用して２枚目のラベルを作成する。このようにラベルを作成すれば、ラベル上に生じる空白領域を極力小さくすることができる。また、ラベル作成装置１は、１枚目のラベルがＰＯＰ情報を含まない場合にはラベル用紙Ｍ２を使用して１枚目のラベルを作成する。このようにラベルを作成すれば、印刷すべき情報に不適な装飾（本例ではＰＯＰ領域Ｐ）が施されたラベル用紙を用いたラベルが作成されることもない。  
その他にも、本実施形態にて開示した構成からは種々の好適な効果が得られる。
【００５１】
（変形例）
本実施形態に関するいくつかの変形例を例示する。  
本実施形態では食品に貼付するためのラベルを作成するラベル作成装置１を例示した。しかしながら、ラベル作成装置は、食品以外の商品や物品に貼付するためのラベルを作成する装置であってもよい。
【００５２】
本実施形態では２つのプリンタを備えるラベル作成装置１を例示した。しかしながら、ラベル作成装置が備えるプリンタの数は、３以上であってもよい。ラベル作成装置が３以上のプリンタを備える場合、各プリンタにて使用するラベル用紙の特徴（装飾の有無、サイズ等）に応じてラベルの作成に適したプリンタが選定されるように、選定部１０１によるプリンタの選定条件を定めればよい。
【００５３】
本実施形態では２枚のラベルからなるラベル群を作成する場合に着目してラベル作成装置１の動作を説明した。しかしながら、ラベル群は３以上のラベルからなるものでもよい。ラベル群が３以上のラベルからなる場合でも、選定部１０１が各ラベルについてプリンタを選定し、実行部１０２が各ラベルについて選定されたプリンタにて各ラベルを作成すればよい。
【００５４】
本実施形態ではラベル用紙Ｍ１，Ｍ２に印刷する文字列のフォント、サイズ、位置、文字間隔及び行間隔や、バーコードのサイズなどのフォーマットが固定的に定められているとした。しかしながら、フォーマットは、例えば入力インターフェイス５の操作により変更可能であってもよい。フォーマットを変更可能とする場合、選定部１０１は、フォーマットを考慮してプリンタを選定する。例えばステップＳ８において、選定部１０１は、行数ｎや文字数ｃだけでなく、文字列のフォント、サイズ、位置、文字間隔及び行間隔などを考慮して、ラベルに印刷する画像のサイズがラベル用紙Ｍ２に収まるサイズであるか否かを判定すればよい。
【００５５】
本記実施形態ではラベル作成装置１のＲＯＭ１１がラベル作成プログラムを記憶するとした。ラベル作成プログラムは必ずしもラベル作成装置に予め記憶されている必要はない。ラベル作成プログラムは、ネットワークからラベル作成装置にダウンロードされてもよいし、記録媒体からラベル作成装置にインストールされてもよい。記録媒体は、ＣＤ−ＲＯＭ或いはメモリカードなどのようにデータを記憶でき、かつラベル作成装置或いは同装置に接続されたデバイスが読み取り可能であれば、その形態は問わない。また、ラベル作成プログラムのインストールやダウンロードにより得る機能は、ラベル作成装置のＯＳ（オペレーティング・システム）等と協働してその機能を実現させるものであってもよい。
【００５６】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
１…ラベル作成装置、２…本体、３…秤装置、４…ディスプレイ、５…入力インターフェイス、６…第１プリンタ、７…第２プリンタ、１０…ＣＰＵ、１１…ＲＯＭ、１２…ＲＡＭ、１００…取得部、１０１…選定部、１０２…実行部、１４０…ＰＬＵファイル、Ｍ１，Ｍ２…ラベル用紙、Ｐ…ＰＯＰ領域、Ａ１，Ｂ１…１枚目のラベル、Ａ２，Ｂ２…２枚目のラベル。
【図１】
2014151552.tif 000003
【図２】
2014151552.tif 000004
【図３】
2014151552.tif 000005
【図４】
2014151552.tif 000006
【図５】
2014151552.tif 000007
【図６】
2014151552.tif 000008
【図７】
2014151552.tif 000009
【図８】
2014151552.tif 000010
【図９】
2014151552.tif 000011
【図１０】
2014151552.tif 000012